(57)【要約】【課題】  自動調光と手動調光の切替え時に、煩雑な作業により、内視鏡検査を中断することなく、光量の変化に対する観察画像の不具合、及び違和感を与えない光源装置を実現すること。【解決手段】  本発明の光源装置３は、明るさ設定部１５が自動調光モードから手動調光モードへの切替信号が切替部２２，２３から入力されたとき、設定指示部２６，２７による照明光による明るさ設定とは異なる、切替時の光量増減信号に基づいた照明光の明るさを設定し、手動調光モードから自動調光モードへの切替信号が切替部から入力されたとき、設定指示部による照明光による明るさ設定とは異なる、切替時の明るさレベル信号に基づいた照明光の明るさを設定する。【選択図】図３
2008200289.tif 000002
【特許請求の範囲】
【請求項１】
照明光を発光する光源と、
上記照明光による明るさを検出すると共に、検出した明るさに対応した明るさレベル信号を出力する明るさ検出部と、
上記照明光の照明光量を増減制御させると共に、設定された該照明光量に対応した光量増減信号を出力する照明光量可変装置と、
上記明るさレベル信号、及び上記光量増減信号が入力されると共に、上記照明光による明るさを設定自在な明るさ設定部と、
該明るさ設定部に、自動調光、及び手動調光のそれぞれのモードに対応した上記照明光による明るさを設定するための明るさ設定指示部と、
上記設定された上記照明光を、ユーザが選択的に自動調光モード、及び手動調光モードに切替え、上記明るさ設定部に切替信号を出力する切替部と、
を具備し、
上記明るさ設定部は、
自動調光モードから手動調光モードへの切替信号が上記切替部から入力されたとき、上記設定指示部による上記照明光の明るさ設定とは異なる、切替時の上記光量増減信号に基づいた上記照明光の明るさを設定し、
手動調光モードから自動調光モードへの切替信号が上記切替部から入力されたとき、上記設定指示部による上記照明光の明るさ設定とは異なる、切替時の上記明るさレベル信号に基づいた上記照明光の明るさを設定する、
ことを特徴とする光源装置。
【請求項２】
自動調光モード時、及び手動調光モード時の明るさレベルを表示する表示部を備えたことを特徴とする請求項１に記載の光源装置。
【請求項３】
上記光源から発光される照明光は、観察装置による観察を行うために被写体に照射される照診光であり、
上記明るさ検出部は、上記観察装置により得られた観察情報から上記照診光の明るさを検出することを特徴とする請求項１、又は請求項２に記載の光源装置。
【請求項４】
上記明るさ検出部に上記観察装置からの観察情報が入力されていない場合、上記明るさ設定部は、上記手動調光モードのみ有効とすることを特徴とする請求項３に記載の光源装置。
【請求項５】
上記照明光量可変装置は、上記光源からの上記照明光の光路に配設された絞りを備え、該絞りを開閉させると共に、該絞りの開閉状態に対応する上記光量増減信号となる絞り開閉信号を出力する絞り装置であることを特徴とする請求項１から請求項４の何れか１項に記載の光源装置。
【請求項６】
上記照明光量可変装置は、上記光源に電流／電圧を印加し、該照明光の発光量に対応した上記光量増減信号となる光源電流／電圧信号を出力する光源電流／電圧調整装置であることを特徴とする請求項１から請求項４の何れか１項に記載の光源装置。
【発明の詳細な説明】
【技術分野】
【０００１】
本発明は、自動調光と手動調光を切替自在な光源装置に関する。
【背景技術】
【０００２】
周知のように、医療用、及び工業用の内視鏡は、人体の体腔、及び工業プラントの設備管路等に挿入され、体腔内、及び管路内の検査、治療、修理等に広く用いられている。特に医療分野において、このような内視鏡は、自然光の入り込まない体腔内を照明手段により照らし、その照明光を照診光として体腔内を観察する。
【０００３】
内視鏡の照明手段としては、例えば、特許文献１に記載される内視鏡システムの光源装置が開示されている。
【０００４】
この特許文献１に開示される内視鏡システムは、光源装置の今回の設定条件が前回の操作条件による照明光量で再設定されると、発熱劣化、及び電力浪費が生じるため、これらを解消する工夫がなされている。
【０００５】
また、従来の光源装置は、自動調光と手動調光の切替が可能であり、自動調光、及び手動調光の明るさ設定をユーザにより所定の照明光量を自由に設定できるようになっている。
【０００６】
このユーザによる照明光量の設定値は、自動調光と手動調光の切替前後、或いは光源装置の電源投入時に記憶される。
【特許文献１】特開２００３−１２６０３２号公報
【発明の開示】
【発明が解決しようとする課題】
【０００７】
しかしながら、上述した特許文献１の技術では、実際の検査中に、例えば、自動調光から手動調光に切替えた場合、観察画像の明るさは、そのシーン、撮像手段と被写体との距離などによって変化するため、所望の明るさが得られないという場合が多々生じていた。
【０００８】
また、内視鏡と共に併用される高周波ナイフなどの処置具を用いた手技の場合、光源装置の自動調光では、挿入部の先端から導出させた処置具に対して調光を行ってしまい、体腔内の患部が光量不足、ハレーションなどにより観察し難くなる。そのため、ユーザは、体腔内の患部へ所望の光量に調節する手動調光に切替えた後、処置具を用いて、患部への処置を行う。このとき、従来の光源装置では、手動調光の設定値が前回の操作条件のままで、記憶されているため、今回の手技に合わせた所望の光量にユーザ自身が再設定しなければならない。
【０００９】
以上のような場合、従来の光源装置では、ユーザが内視鏡検査を中断し、光源装置の明るさを再設定するという煩雑な作業を強いられ、内視鏡検査をスムーズに行えないという問題がある。
【００１０】
そこで、本発明は、上記事情に鑑みて成されたものであって、その目的とするところは、自動調光と手動調光の切替え時に、煩雑な作業により、内視鏡検査を中断することなく、観察画像に光量の変化に伴ったハレーション等による不具合、及び違和感を与えない光源装置を提供することにある。
【課題を解決するための手段】
【００１１】
上記目的を達成するため本発明による光源装置は、照明光を発光する光源と、上記照明光による明るさを検出すると共に、検出した明るさに対応した明るさレベル信号を出力する明るさ検出部と、上記照明光の照明光量を増減制御させると共に、設定された該照明光量に対応した光量増減信号を出力する照明光量可変装置と、上記明るさレベル信号、及び上記光量増減信号が入力されると共に、上記照明光による明るさを設定自在な明るさ設定部と、該明るさ設定部に、自動調光、及び手動調光のそれぞれのモードに対応した上記照明光による明るさを設定するための明るさ設定指示部と、上記設定された上記照明光を、ユーザが選択的に自動調光モード、及び手動調光モードに切替え、上記明るさ設定部に切替信号を出力する切替部と、を具備し、上記明るさ設定部は、自動調光モードから手動調光モードへの切替信号が上記切替部から入力されたとき、上記設定指示部による上記照明光の明るさ設定とは異なる、切替時の上記光量増減信号に基づいた上記照明光の明るさを設定し、手動調光モードから自動調光モードへの切替信号が上記切替部から入力されたとき、上記設定指示部による上記照明光の明るさ設定とは異なる、切替時の上記明るさレベル信号に基づいた上記照明光の明るさを設定する、ことを特徴とする。
【発明の効果】
【００１２】
本発明によれば、自動調光と手動調光の切替え時に、煩雑な作業により、内視鏡検査を中断することなく、観察画像に光量の変化に伴った不具合、及び違和感を与えない光源装置を実現することができる。
【発明を実施するための最良の形態】
【００１３】
以下、図面に基づく実施の形態によって本発明を説明する。
【００１４】
先ず、本発明について、図１〜図８を用いて説明する。尚、図１〜図８は、本発明の一実施の形態に係り、図１は内視鏡システムを示す構成図、図２はフロントパネル基板の調光操作パネルを示す平面図、図３は図１の内視鏡システムによる作用を説明するためのブロック構成図、図４は自動調光用の明るさ基準設定値に対応した明るさ表示レベルを説明するための表、図５は手動調光用の明るさ基準設定値（絞り開閉値）に対応した明るさ表示レベルを説明するための表、図６は手動調光時の調光操作パネルを示す平面図、図７は自動調光時の調光操作パネルを示す平面図、図８は変形例を示し図１の内視鏡システムを説明するためのブロック構成図である。
【００１５】
図1に示すように、本実施の内視鏡システム１は、観察装置である内視鏡２と、光源装置３と、ビデオプロセッサ４と、モニタ５と、によって主に構成されている。  
内視鏡２は、挿入部６と、この挿入部６の基端に連設された操作部７と、この操作部７から延設されたユニバーサルケーブル８と、このユニバーサルケーブル８のコネクタ８ａに着脱自在な電気ケーブルであるビデオコンバータ８ｂと、から構成されている。
【００１６】
尚、コネクタ８ａは、光源装置３と着脱自在に接続され、このコネクタ８ａに接続されたビデオコンバータ８ｂはビデオプロセッサ４と着脱自在に接続されている。
【００１７】
挿入部６の先端部には、被写体を撮像するため、対物光学系、及びＣＣＤ、ＣＭＯＳ等の撮像素子を備えた撮像部９と、光源装置３からの照診光を伝送するライトガイドの照射側に被写体に向けて照診光を照射するための照明光学系から構成された照明部１０と、が設けられている。
【００１８】
ビデオプロセッサ４は、内視鏡２の撮像部９からの映像信号が入力され、モニタケーブル５ａによって、電気的に接続されたモニタ５の画面上に被写体像を表示させるための観察情報である撮像信号を出力するためのものである。
【００１９】
このビデオプロセッサ４には、撮影された被写体像の信号に基づき、撮像部９が捉えた被写体画像の明るさを検出する明るさ検出部１１が内蔵されている。この明るさ検出部１１による検出信号は、信号ケーブル２０を介して、この信号ケーブル２０によってビデオプロセッサ４と接続された光源装置３へと出力される。
【００２０】
光源装置３は、光源であるキセノンランプ１２と、表示手段を兼ねたフロントパネル基板１３と、自動調光（自動調光モード）と手動調光（手動調光モード）との切替信号を検出する切替検出部１４と、明るさ設定部１５と、照明光制御部の１つを構成する絞り駆動部１６と、照明光制御部の１つを構成する絞りユニット１７と、駆動部であるモータ１８と、照明光調整手段である絞り１９と、を有している。
【００２１】
キセノンランプ１２は、照明光となる白色光を投射する。このキセノンランプ１２から照射された白色光の光路上に絞り１９が配設されている。この絞り１９は、モータ１８の駆動力により絞りの開閉駆動を行う。
【００２２】
尚、光源装置３内には、図示しないが、キセノンランプ１２からの白色光の伝送光経路上に、白色光のみを透過させ、所定の光量を出力させる通常フィルタ、白色光を所定の光量に減衰させる光量減衰フィルタ、赤外線のみを透過させる赤外線フィルタ、キセノンランプ１２に不具合が生じた際に代わり点灯する非常用の非常灯等を備えたターレットが配置されている。
【００２３】
さらに、白色光の伝送光経路上には、図示しないが、回転駆動し、赤（Ｒｅｄ）、緑（Ｇｒｅｅｎ）、及び青（Ｂｌｕｅ）の３原色のフィルタを有するＲＧＢフィルタが配置されている。
【００２４】
このように、キセノンランプ１２から投射された白色光は、絞り１９、各種フィルタを通過して、所定の光量の照診光として、内視鏡２の照明部１０から被検体に向けて照射される。
【００２５】
光源装置３のフロントパネル基板１３は、切替検出部１４と電気的に接続されている。このフロントパネル基板１３は、図２に示すように、内視鏡２の照明部１０から被検体へ向けて照射する照診光を自動調光と手動調光とに切替操作するための調光操作パネル２１を有している。
【００２６】
この調光操作パネル２１は、自動調光と手動調光とに選択的に切替可能な切替部である切替スイッチ２２，２３と、自動調光時の被写体に対する照診光の明るさを表示するための１７個のＬＥＤが羅列された自動調光レベル表示部２４と、手動調光時の照診光の明るさをドット表示による数字によって表示する手動調光レベル表示部２５と、自動／手動の各調光時に照診光の明るさレベルを調節、及び設定するための明るさ設定指示部である明暗設定ボタン２６，２７と、を有している。
【００２７】
この調光操作パネル２１は、フロントパネル基板１３の一部を構成し、図１に示したように、切替検出部１４、及び明るさ設定部１５と電気的に接続されている。また、自動調光が選択されている状態では、自動調光レベル表示部２４が点灯して、ユーザに被写体に対する照診光の明るさレベルを表示する。一方で、手動調光が選択されている状態では、手動調光レベル表示部２５により、絞り１９の開閉値に対応した明るさレベルを数字化して表示する。  
尚、本実施の形態では、表示形態の異なる２つの調光レベル表示部２４，２５であるが、これに限定されること無く、同一の表示形態、或いは調光レベル表示部を１つに集約しても良い。すなわち、自動調光と手動調光の表示部が２つであり、同一の表示形態でも良いし、自動調光と手動調光の表示部を１つにしても良い。
【００２８】
上述した、調光操作パネル２１の切替スイッチ２２，２３の操作による自動調光と手動調光を切替える切替信号、及び明暗設定ボタン２６，２７の操作による照診光の明るさレベルの設定、或いは調節の設定信号（調節信号）は、切替検出部１４に出力される。
【００２９】
また、後に詳しく説明するが、明るさ設定部１５からの被写体に対する照診光の明るさレベル信号、或いは絞り１９の開閉（絞りの開閉値）に対応した明るさレベル信号は、明るさ設定部１５からフロントパネル基板１３へ出力され、その信号に基づいた値が調光操作パネル２１の各レベル表示部２４，２５へと点灯表示される。
【００３０】
光源装置３内の切替検出部１４は、明るさ設定部１５と電気的に接続されており、この切替検出部１４を介して、上述の照診光の明るさレベルの設定、或いは変更調節の設定信号（調節信号）が入力される。
【００３１】
この明るさ設定部１５は、ビデオプロセッサ４の明るさ検出部１１と電気的に接続されており、この明るさ検出部１１からの検出信号が入力される。また、明るさ設定部１５は、絞り駆動部１６とも電気的に接続され、各設定に基づく明るさレベルに対応した調光制御信号を絞り駆動部１６へ出力する。
【００３２】
この絞り駆動部１６は、絞りユニット１７と電気的に接続されており、上記調光制御信号に基づいて、駆動信号を絞りユニット１７へ出力する。この駆動信号が入力された絞りユニット１７は、モータ１８、及び明るさ設定部１５と電気的に接続されており、駆動信号に基づいてモータ１８を駆動すると共に、モータ１８によって可変した絞り１９の変位に対応した光量増減信号である絞り開閉信号を明るさ設定部１５へ出力する。
【００３３】
以上のように構成された本実施の形態の内視鏡システム１の作用について説明する。尚、以下の説明を簡略にするため、図３に示すように、絞りユニット１７、モータ１８、及び絞り１９を一括して照明光量可変装置である絞り装置３０と記載する場合がある。
【００３４】
先ず、本実施の形態では、光源装置３の明るさ設定部１５に、図４に示すように、自動調光時にユーザによって自由に設定可能な明るさ基準値（例えば、暗い状態から明るい状態に数値化された０〜２５５のパラメータ）が設定されている。また、絞り装置３０の絞りユニット１７には、図５に示すように、絞り１９の開閉状態に対応した開閉値である明るさ基準値（例えば、閉状態から開状態に数値化された０〜２５５のパラメータ）が設定されている。
【００３５】
内視鏡２による検査等の際、図３に示すように、光源であるキセノンランプ１２からの白色光は、絞り１９により調光され、内視鏡２の照明部１０から被写体に照診光として、照射される。そして、内視鏡２の撮像部９に照診光による被写体への反射光が撮影光として集光される。
【００３６】
この撮影光を集光した撮像部９は、光電変換を行い、観察情報である撮像信号として、ビデオプロセッサ４へ出力する。このとき、ビデオプロセッサ４は、撮像部９から入力された撮像信号に基づく画像信号をモニタ５に出力する。これにより、内視鏡２が撮影した被写体像がモニタ５へ表示される。
【００３７】
また、このビデオプロセッサ４に入力された撮像信号は、先ず、明るさ検出部１１に入力される。明るさ検出部１１は、撮像信号に基づく取得画像の明るさレベルを、図４に示すように、上述した、数値化して０〜２５５のパラメータに合致した値を検出する。
【００３８】
そして、明るさ検出部１１は、その検出したパラメータ値である明るさレベル検出信号を光源装置３の明るさ設定部１５へ出力する。
【００３９】
このとき、光源装置３の調光設定が自動調光に設定されている場合、明るさ検出部１１は、入力された明るさレベル検出信号のパラメータ値と、ユーザにより自動調光時の設定された明るさ基準値と、を比較する。そして、明るさ検出部１１は、検出されたパラメータ値と設定されている明るさレベル設定値が一致するように、絞り駆動部１６へ調光制御信号を出力する。
【００４０】
すると、絞り駆動部１６は、調光制御信号に基づいて、絞り装置３０に駆動信号を出力し、絞り１９の開閉状態を変更、及び固定する調光制御を行う。これに合わせて、明るさ設定部１５には、絞り装置３０の絞りユニット１７から現在の絞り１９の開閉状態である、上述した、絞り開閉信号（明るさ基準設定値）が入力される。
【００４１】
以上の結果、自動調光が選択されている本実施の形態の光源装置３では、内視鏡２により常にユーザが設定した被写体に対する明るさで撮影することができる。つまり、被写体と内視鏡２の先端との距離が可変しても、撮影する被写体の像の明るさは、絞り装置３０により絞り１９が可変駆動して、絞り１９の調光範囲内であれば常に一定に保たれる。
【００４２】
また、内視鏡２による各種処置のために、処置具による患部の処置、患部へのハンドアシスト処置などを行う場合、自動調光が処置具、術者の手などに反応するため自動調光から手動調光にフロントパネル基板１３の調光操作パネル２１の手動調光切替スイッチ２３の操作によって切替えられる。
【００４３】
この手動調光に切替えられた光源装置３は、自動調光から手動調光に切替られたときの絞り１９の開閉状態を示す絞り開閉値（明るさ基準設定値）が明るさ設定部１５に自動設定される。すると、明るさ設定部１５は、この設定された絞りの開閉値に基づいて、絞り駆動部１６へ調光信号を出力し続ける。
【００４４】
従って、絞り駆動部１６は、手動調光に切替られたときの自動調光の明るさ状態で、絞り装置３０の絞り１９を固定する信号、すなわち、絞りユニット１７によりモータ１８を駆動しない停止信号を出力するか、或いは絞り装置３０への給電を停止状態にする。これにより、内視鏡２から照射される照診光の明るさレベルが一定に保たれる（固定される）。つまり、手動調光に切替えられたときの絞り１９の開閉状態が切替前の自動調光の状態を引き継ぎ、固定された状態となる。
【００４５】
すなわち、本実施の形態の内視鏡システム１は、ユーザが内視鏡２を介して、処置具を用いた手技、或いはハンドアシスト手技を行ったとしても、照診光が処置具、或いはユーザの手に撮影像に照準を合わせた調光を行わない。また、内視鏡システム１は、自動調光から手動調光に切替えたときに、手動調光用に設定された明るさレベルでの絞り１９の開閉制御を行わない。
【００４６】
尚、この手動調光を選択した場合、ユーザは、光源装置３の調光操作パネル２１に設けられた、明暗設定ボタン２６，２７の操作により、所望の照診光の光量調節ができる。換言すると、ユーザは、明暗設定ボタン２６，２７の操作でのみ、所望の照診光の光量調節ができなくなる。
【００４７】
次に、光源装置３による自動調光と手動調光の切替時の制御と、調光操作パネル２１に設けられた、自動調光レベル表示部２４と手動調光レベル表示部２５の明るさレベル表示について、図３〜図７を用いて説明する。
【００４８】
本実施の形態では、自動調光時に自動調光レベル表示部２４に表示される、撮影画像に基づいた照診光の明るさ表示レベルは、図４に示すように、１７段階の−８〜＋８としている。尚、ここでの明るさ表示レベルは、１７段階に限定されることなく、勿論、何段階でも構わない。
【００４９】
これらの自動調光時の表示レベルは、図４に示すように、自動調光時の明るさ基準設定値（上述した、被写体を捉えた撮影画像の明るさに対応した、０〜２５５のパラメータ値）のそれぞれに予め割り当てられている。本実施の形態では、例えば、自然調光時の明るさ基準値が「０〜１０」の範囲であった場合、自動調光レベル表示部２４に表示される表示レベルが「−８」となり、自然調光時の明るさ基準値が「２４０〜２５５」の範囲であった場合、自動調光レベル表示部２４に表示される表示レベルが「＋８」となる。
【００５０】
その一方で、手動調光時に手動調光レベル表示部２５に表示される、撮影画像に基づいた照診光の明るさ表示レベルは、図５に示すように、自動調光と同様、１７段階の−８〜＋８としている。尚、ここでの明るさ表示レベルも、１７段階に限定されることなく、勿論、何段階でも構わない。
【００５１】
これらの手動調光時の表示レベルは、図５に示すように、手動調光時の明るさ基準設定値（上述した、絞り１９の開閉値に対応した０〜２５５のパラメータ値）のそれぞれに予め割り当てられている。本実施の形態では、例えば、自動調光時の明るさ基準値（絞り１９の開閉値）が「０〜１５」の範囲であった場合、手動調光レベル表示部２５に表示される表示レベルが「−８」となり、手動調光時の明るさ基準設定値（絞り１９の開閉値）が「２４１〜２５５」の範囲であった場合、手動調光レベル表示部２５に表示される表示レベルが「＋８」となる。
【００５２】
例えば、自動調光から手動調光に切替えられたとき、自動調光における直前の絞り１９の開閉値が「７２」であった場合、光源装置３の明るさ設定部１５は、手動調光用の明るさ基準設定値（絞り１９の開閉値）を「７２」に自動設定する共に、明るさ基準設定値の「７２」が図５に示すように、「６１〜７５」の範囲内であるため、手動調光レベル表示部２５に「−４」を表示させる表示レベル信号（図３参照）を出力する。すると、図６に示すように、手動調光レベル表示部２５には、数字化された「−４」が表示される。
【００５３】
尚、このとき、ユーザは、手動調光における照診光の明暗調節を行いたい場合には、明暗設定ボタン２６，２７の操作により行える。
【００５４】
一方で、手動調光から自動調光に切替えたられ、例えば、切替直前の明るさ検出部１１から検出された明るさレベル検出信号が「１３０」として、明るさ設定部１５に入力されていた場合、光源装置３の明るさ設定部１５は、自動調光用の明るさ基準設定値を「１３０」に自動設定する共に、明るさ基準設定値の「１３０」が図４に示すように、「１２９〜１４８」の範囲内であるため、自動調光レベル表示部２４に「＋１」を表示させる表示レベル信号（図３参照）を出力する。すると、図７に示すように、自動調光レベル表示部２４には、−８から＋１までの１０個のＬＥＤが点灯表示される。
【００５５】
以上説明したように、本実施の形態の内視鏡システム１は、光源装置３が自動調光から手動調光に切替えられた場合、自然調光時の明るさレベルで、照診光が固定されるため、内視鏡２に併用される処置具を用いた手技、或いはハンドアシスト手技を行っても、目標の被写体である患部への光量不足、またその逆のハレーションなどによる観察像への不具合、及び違和感を防止することができる。
【００５６】
また、ユーザは、単に、ここでは自動調光と手動調光を切替える切替スイッチ２２、２３の操作のみで、照診光の光量を再設定するというような煩雑な作業を行わなくて良く、内視鏡検査を中断することなく内視鏡検査をスムーズに行うことができる。
【００５７】
ここで、光源装置３には、図８に示すように、光源であるキセノンランプ１２へ印加する電流／電圧を調整して、キセノンランプ１２の発光量を設定された明るさに変化させる照明光量可変装置である光源電流／電圧調整装置３１を明るさ設定部１５と、キセノンランプ１２の間に介装させても良い。
【００５８】
この光源電流／電圧調整装置３１は、キセノンランプ１２へ印加している電流／電圧に対応した光量増減信号である高原電流／電圧信号を明るさ設定部１５へ出力する。また、この光源電流／電圧調整装置３１は、図示しない、電源から電力が供給されている。このような構成においても、上述した、内視鏡システム１の作用効果を得ることができる。
【００５９】
尚、本実施の形態においては、内視鏡２が電子内視鏡を用いた説明をしたが、ファイバ（裸眼）内視鏡が光源装置３に用いられた場合、先ず、ビデオプロセッサ４の明るさ検出部１１によって、ビデオ観察か否かを判定する。そして、明るさ検出部１１は、光源装置３の明るさ設定部１５に、その判定結果を出力する。
【００６０】
仮に、ファイバ内視鏡であった場合、光源装置３は、上述の実施の形態の動作を機能させず、予めユーザにより設定されている手動調光の明るさ基準設定値に基づいた絞り装置３０の駆動制御を行う。つまり、ファイバ内視鏡が接続された光源装置３は、手動調光の機能のみ有効となる。尚、明るさ検出部１１による判定は、観察情報である撮像信号が入力されているか否かで行うものである。
【００６１】
尚、本実施の形態では、明るさ検出部１１をビデオプロセッサ４に設けてあるが、光源装置３内に設けた構成としても良い。また、本実施の形態では、光源装置３のユーザによる調光設定、及び調節は、調光操作パネル２１に設けられた、明暗設定ボタン２６，２７の操作による例を示したが、内視鏡２の操作部に明暗設定ボタンを配設した構成としても良いし、無線コントローラによる操作により行える構成としても良い。
【００６２】
さらに、本発明は、上述した実施の形態に限定されるものではなく、発明の主旨を逸脱しない範囲内において種々の変形や応用が可能であることは勿論である。
【図面の簡単な説明】
【００６３】
【図１】本発明の一実施の形態に係る内視鏡システムの構成図
【図２】同、フロントパネル基板の調光操作パネルを示す平面図
【図３】同、図１の内視鏡システムによる作用を説明するためのブロック構成図
【図４】同、自動調光用の明るさ基準設定値に対応した明るさ表示レベルを説明するための表
【図５】同、手動調光用の明るさ基準設定値（絞り開閉値）に対応した明るさ表示レベルを説明するための表
【図６】同、手動調光時の調光操作パネルを示す平面図
【図７】同、自動調光時の調光操作パネルを示す平面図
【図８】同、変形例を示し図１の内視鏡システムを説明するためのブロック構成図
【符号の説明】
【００６４】
１・・・内視鏡システム
２・・・内視鏡
３・・・光源装置
４・・・ビデオプロセッサ
５・・・モニタ
５ａ・・・モニタケーブル
６・・・挿入部
７・・・操作部
８ａ・・・コネクタ
８ｂ・・・ビデオコンバータ
８・・・ユニバーサルケーブル
９・・・撮像部
１０・・・照明部
１１・・・検出部
１２・・・キセノンランプ
１３・・・フロントパネル基板
１４・・・切替検出部
１５・・・設定部
１６・・・駆動部
１７・・・ユニット
１８・・・モータ
１９・・・絞り
２０・・・信号ケーブル
２１・・・調光操作パネル
２２・・・自動調光切替スイッチ
２３・・・手動調光切替スイッチ
２４・・・自動調光レベル表示部
２５・・・手動調光レベル表示部
２６，２７・・・明暗設定ボタン
３０・・・絞り装置
３１・・・光源電流／電圧調整装置
【図１】
2008200289.tif 000003
【図２】
2008200289.tif 000004
【図３】
2008200289.tif 000005
【図４】
2008200289.tif 000006
【図５】
2008200289.tif 000007
【図６】
2008200289.tif 000008
【図７】
2008200289.tif 000009
【図８】
2008200289.tif 000010